(57)【要約】【課題】ＬＥＤ光源に流れる電流のリップルの低減効果の高い点灯装置を得る。【解決手段】点灯装置１００は、直流電流を出力する直流出力部７と、直流電流をＬＥＤ光源８にのみ伝達する信号ライン３６と、ＬＥＤ光源８を通過した通過電流を直流出力部７に帰還させる帰還ライン３７とを備える。そして、ラインフィルタ１５が信号ライン３６と帰還ライン３７とをＬＥＤ光源８に向かって伝搬するコモンモードノイズを減衰させることで、ＬＥＤ光源８に流れる電流のリップルを低減させる。【選択図】図１
2014110197.tif 000002
【特許請求の範囲】
【請求項１】
光源を点灯する点灯装置において、
直流電流を出力する直流出力部と、
前記直流出力部から出力された前記直流電流を前記光源にのみ伝達する信号ラインと、
前記信号ラインにより前記光源に伝達されて前記光源を通過した通過電流を前記直流出力部に帰還させる帰還ラインと、
前記信号ラインと前記帰還ラインとを前記光源に向かって伝搬するコモンモードノイズを減衰させるノイズフィルタと
を備えることを特徴とする点灯装置。
【請求項２】
前記直流出力部は、
直流電源から供給される電流を高周波の交流電流に変換して出力するインバータ部と、
前記インバータ部から出力された前記高周波の交流電流を整流して整流電流に変換する整流部と、
前記整流部により変換された前記整流電流を平滑化し、平滑化した前記整流電流を前記直流電流として出力する平滑コンデンサと
を有し、
前記ノイズフィルタは、
前記信号ラインに挿入される第１の巻き線と、前記帰還ラインに挿入される第２の巻き線とを有し、前記第１の巻き線と前記第２の巻き線とが対となって前記信号ラインと前記帰還ラインとを伝搬する前記コモンモードノイズを減衰させることを特徴とする請求項１記載の点灯装置。
【請求項３】
前記ノイズフィルタの前記第１の巻き線は、
前記直流出力部の前記平滑コンデンサにより出力された前記直流電流が一端から供給され、供給された前記直流電流を他端から他の電子素子を介することなく直接、前記光源に伝達し、
前記ノイズフィルタの前記第２の巻き線は、
前記光源を通過した前記通過電流が一端から供給され、供給された前記通過電流を他端から前記直流出力部の前記平滑コンデンサに帰還させることを特徴とする請求項２記載の点灯装置。
【請求項４】
請求項２〜３のいずれかに記載の点灯装置を複数備え、
複数の点灯装置のうち、少なくとも２つの点灯装置のそれぞれのインバータ部は、
周波数が互いに異なる高周波の交流電流を出力することを特徴とする照明器具。
【請求項５】
前記点灯装置は、
前記光源としてＬＥＤを点灯させることを特徴とする請求項１〜３のいずれかに記載の点灯装置。
【請求項６】
請求項１〜３のいずれかに記載の点灯装置を備えることを特徴とする照明器具。
【発明の詳細な説明】
【技術分野】
【０００１】
本発明は、点灯装置及び照明器具に関するものである。本発明は、特に、ＬＥＤの点灯装置に関するものである。
【背景技術】
【０００２】
ラインフィルタを用いて、光源に流れる電流に含まれるリップルを低減する技術が知られている（例えば、特許文献１）。
【先行技術文献】
【特許文献】
【０００３】
【特許文献１】特開２００５−２３７０６７号公報
【発明の概要】
【発明が解決しようとする課題】
【０００４】
従来は、整流用のダイオードによって得られた脈流電流からラインフィルタでコモンモードノイズを減衰させた後に、コンデンサにより平滑化しており、ＬＥＤ光源に流れる電流のリップルの低減効果が低いという課題がある。
【０００５】
本発明は、例えば、ＬＥＤ光源に流れる電流のリップルの低減効果の高い点灯装置を得ることを主な目的とする。
【課題を解決するための手段】
【０００６】
本発明に係る点灯装置は、
光源を点灯する点灯装置において、
直流電流を出力する直流出力部と、
前記直流出力部から出力された前記直流電流を前記光源にのみ伝達する信号ラインと、
前記信号ラインにより前記光源に伝達されて前記光源を通過した通過電流を前記直流出力部に帰還させる帰還ラインと、
前記信号ラインと前記帰還ラインとを前記光源に向かって伝搬するコモンモードノイズを減衰させるノイズフィルタと
を備えることを特徴とする。
【発明の効果】
【０００７】
本発明に係る点灯装置は、直流電流を光源にのみ伝達する信号ラインのコモンモードノイズを減衰させることで、光源に流れる直流電流のリップルの低減効果が高くなる。
【図面の簡単な説明】
【０００８】
【図１】実施の形態１に係る点灯装置の構成を示す図。
【図２】実施の形態１に係るＬＥＤ光源の構成を示す図。
【図３】実施の形態１に係る平滑コンデンサの前にラインフィルタが配置された点灯装置の構成を示す図。
【図４】実施の形態１に係るＬＥＤ電流を示す図。
【図５】実施の形態１に係るインバータ回路のスイッチング周波数とＬＥＤ電流との関係を示す図。
【図６】実施の形態１に係るＬＥＤ電流及びＬＥＤ電流に含まれるコモンモードノイズを示す図。
【図７】実施の形態１に係るＬＥＤ電流及びＬＥＤ電流に含まれるコモンモードノイズを示す図。
【図８】実施の形態２に係る点灯装置の構成を示す図。
【図９】実施の形態２に係るＬＥＤ電流及びＬＥＤ電流に含まれるコモンモードノイズを示す図。
【発明を実施するための形態】
【０００９】
実施の形態１．
（点灯装置の構成）
図１は、点灯装置の構成を示す図である。
点灯装置１００（点灯装置）は、例えば非絶縁型のインバータ方式のＬＥＤ点灯装置である。点灯装置１００は、直流電源３５、直流出力部７、ラインフィルタ１５（ノイズフィルタ）、電流検出抵抗９、インバータ制御回路１０を備える。
そして、直流電源３５は電源整流回路２、アクティブフィルタ回路３を備える。また、直流出力部７は、インバータ回路４（インバータ部）、共振回路５、負荷整流回路６（整流部）、平滑コンデンサ１６を備える。
インバータ制御回路１０は、ＩＣ（集積回路）化されたマイクロコンピュータである。
インバータ回路４は、第一のスイッチング素子１１と第二のスイッチング素子１２とを備える。共振回路５は、共振用コンデンサ１３と共振用インダクタ１４とを備える。
【００１０】
ＬＥＤ光源８は、１つ以上のＬＥＤ（発光素子）から構成される。ここで、ＬＥＤは、直流により発光する発光素子である。なお、直流は、電流の流れる方向が一定（時間によって変化しない）であり、直流には脈流も含まれる。
そして、点灯装置１００は、発光素子としてＬＥＤ光源８（１つ以上のＬＥＤ）を点灯させる。つまり、点灯装置１００は、ＬＥＤ光源８（１つ以上のＬＥＤ）を発光素子とする照明器具２００に備えられる。換言すると、照明器具２００は、点灯装置１００とＬＥＤ光源８とを備える。
なお、ＬＥＤ光源８を流れる電流をＬＥＤ電流と称する。
【００１１】
ラインフィルタ１５は、コモンモードノイズを減衰させるコモンモードフィルタである。そして、ラインフィルタ１５は平滑コンデンサ１６とＬＥＤ光源８との間に接続される。
また、ラインフィルタ１５は、第１の巻き線３８と第２の巻き線３９とを備える。そして、点灯装置１００は、信号ライン３６と帰還ライン３７とを備える。ここで、信号ライン３６とは、接続点５１ａから接続点５１ｃまでの配線である。詳細には、信号ライン３６とは、接続点５１ａから第１の巻き線３８の一端（接続点５１ｆ）、第１の巻き線３８、第１の巻き線３８の他端（接続点５１ｇ）を経て接続点５１ｃに至る配線である。また、帰還ライン３７とは、接続点５１ｄから接続点５１ｂまでの配線である。詳細には、帰還ライン３７とは、接続点５１ｄから、接続点５１ｅ、電流検出抵抗９、第２の巻き線３９の一端（接続点５１ｉ）、第２の巻き線３９、第２の巻き線３９の他端（接続点５１ｈ）を経て、接続点５１ｂに至る配線である。
第１の巻き線３８は、信号ライン３６の少なくとも一部を構成し、第２の巻き線３９は、帰還ライン３７の少なくとも一部を構成する。換言すると、第１の巻き線３８は信号ライン３６に挿入され、第２の巻き線３９は、帰還ライン３７に挿入される。
【００１２】
（点灯装置の動作）
点灯装置１００を構成する各部の動作について説明する。
【００１３】
（直流電源３５の動作）
点灯装置１００は、商用電源１に接続される。商用電源１は、例えばコンセントなどの交流電源である。
電源整流回路２は、ノイズフィルタとダイオードブリッジとで構成され、商用電源１から交流が供給され、供給された交流のノイズを低減させ、更に、整流を行ってアクティブフィルタ回路３に出力する。
【００１４】
アクティブフィルタ回路３は、電源整流回路２により出力された出力電圧の変化に応じて（出力波形に沿って）スイッチングを行うことで、電源整流回路２により出力された出力電圧を所定の直流電圧に昇圧する。また、アクティブフィルタ回路３は、電源整流回路２により出力された出力電流の位相を調整することで（電流波形を整形することで）力率を改善し、また、高調波を抑制する。そして、アクティブフィルタ回路３は、力率が改善され、高調波が抑制された所定の直流電圧をインバータ回路４に出力する。
【００１５】
（インバータ回路４と共振回路５との動作）
インバータ回路４は、直流電源３５から供給される電流（アクティブフィルタ回路３で昇圧された直流電力）を高周波の交流電流（交流電力）に変換して出力する。具体的には、インバータ回路４は、ＬＥＤ光源８に調光目標の電流値の電流が供給されるように、インバータ制御回路１０の制御を受ける。ここで、調光目標の電流値とは、調光目標のＬＥＤ光源８の照度（照明器具の照度）を得るために、ＬＥＤ光源８に流すことが必要な電流値である。
インバータ制御回路１０は、インバータ回路４の制御を行うための、所定の周波数と所定のデューティー比との矩形波電圧を生成する。
そして、第一のスイッチング素子１１と第二のスイッチング素子１２とは、インバータ制御回路１０により、インバータ制御回路１０が生成した矩形波電圧がスイッチング素子間で逆極性となるように印加される。
そして、第一のスイッチング素子１１と第二のスイッチング素子１２とは、インバータ制御回路１０が生成した矩形波電圧に応じて交互にスイッチングする。その為、インバータ回路４は、インバータ制御回路１０が生成した矩形波電圧に応じた高周波電流（交流）を発生する。
【００１６】
共振回路５は、共振用コンデンサ１３と共振用インダクタ１４とにより決定される共振特性（インピーダンスの周波数特性）を有する。共振回路５は、共振用コンデンサ１３と共振用インダクタ１４とで共振を発生させる。そして、共振回路５には、インバータ回路４の出力電流が印加され、印加された出力電流の周波数における共振回路５のインピーダンスに応じた電流が流れる。
【００１７】
（負荷整流回路６と平滑コンデンサ１６との動作）
負荷整流回路６は、全波整流回路である。具体的には、負荷整流回路６は、４つのダイオードからなるダイオードブリッジ回路である。負荷整流回路６は、インバータ回路４から出力され、共振回路５により大きさが変更された高周波の交流電流を整流して、整流電流（全波波形の脈流）に変換する回路である。
平滑コンデンサ１６は、負荷整流回路６により変換された整流電流を平滑化し、平滑化した整流電流を直流電流として出力する。
すなわち、直流出力部７（インバータ回路４、共振回路５、負荷整流回路６、平滑コンデンサ１６）は直流電流を接続点５１ａから出力する。
【００１８】
（ＬＥＤ光源８の動作）
信号ライン３６（上記で述べた、接続点５１ａから接続点５１ｃまでの配線）は、直流出力部７から出力された直流電流をＬＥＤ光源８にのみ伝達する。ここで、第１の巻き線３８は前述の通り信号ライン３６の少なくとも一部である。
第１の巻き線３８は、直流出力部７の平滑コンデンサ１６により出力された直流電流が一端（接続点５１ｆ）から供給され、供給された直流電流を他端（接続点５１ｇ）から他の電子素子を介することなく直接、ＬＥＤ光源８に伝達する。すなわち、第１の巻き線３８は、一端（接続点５１ｆ）が平滑コンデンサ１６に接続され、他端（接続点５１ｇ）が他の電子素子を介することなく直接ＬＥＤ光源８に接続されている。
信号ライン３６によりＬＥＤ光源８に伝達された直流電流はＬＥＤ光源８を通過する。この時、ＬＥＤ光源８は点灯する。なお、ＬＥＤ光源８を通過した電流を通過電流と称する。
そして、帰還ライン３７（接続点５１ｄから電流検出抵抗９を経由して接続点５１ｂまでの配線）は、通過電流を直流出力部７に帰還させる。ここで、第２の巻き線３９は前述の通り帰還ライン３７の少なくとも一部である。
第２の巻き線３９は、ＬＥＤ光源８を通過した通過電流が一端（接続点５１ｉ）から供給され、供給された通過電流を他端（接続点５１ｈ）から直流出力部７の平滑コンデンサ１６に帰還させる。
ラインフィルタ１５の動作は後述する。
【００１９】
（電流検出抵抗９とインバータ制御回路１０との動作）
電流検出抵抗９は、ＬＥＤ光源８に流れる電流を通電し、電流検出抵抗９の両端の電位差を発生させる。この電位差は、ＬＥＤ光源８に流れる電流に比例し、この電位差を「検出電圧」と称する。
【００２０】
そして、インバータ制御回路１０は、この検出電圧の値を検出する。
インバータ制御回路１０は、検出した検出電圧の値と基準の電圧とを比較する。ここで、基準の電圧は、インバータ制御回路１０の内部で発生してもよいし、インバータ制御回路１０の外部から供給されてもよい。インバータ制御回路１０は検出電圧の値と基準の電圧との比較結果に基づき、ＬＥＤ光源８に流れる電流を制御する為に、インバータ回路４に入力する所定の周波数と所定のデューティー比との矩形波電圧を生成する。
【００２１】
（ＬＥＤ光源の構成）
図２は、ＬＥＤ光源の構成を示す図である。
ここで、ＬＥＤ光源８について説明する。
ＬＥＤ光源８は、光源であるＬＥＤを複数直列に接続したＬＥＤモジュール１９と、ＬＥＤモジュール１９と点灯装置１００とを接続する電線１７と、ヒートシンク２０とで構成されている。
ＬＥＤモジュール１９は、ヒートシンク２０に接するように配置され、ＬＥＤモジュール１９で発生した熱は、ヒートシンク２０により放熱される。ここで、ヒートシンク２０はアースに接続され、ＬＥＤモジュール１９とヒートシンク２０とは電気的に絶縁されている。しかし、ＬＥＤモジュール１９とヒートシンク２０との間に浮遊容量が発生し、ＬＥＤモジュール１９に流れる電流とヒートシンク２０とが電気的に結合（接続）し、ヒートシンク２０のアースを通じてＬＥＤモジュール１９（ＬＥＤ光源８）に流れる電流にコモンモードノイズが発生する。
コモンモードノイズのノイズ源としては、商用電源１のノイズ、インバータ回路４の発振に伴うノイズ、無線機器の電波などが有る。
【００２２】
具体的に説明すると、信号ライン３６には、直流出力部７（図２における図示は省略）から直流電流４３がＬＥＤモジュール１９（ＬＥＤ光源８）に向かって流れ、帰還ライン３７には、通過電流４５が直流出力部７に向かって流れる。
一方、信号ライン３６には、ＬＥＤモジュール１９（ＬＥＤ光源８）に向かってコモンモードノイズ４４ａが伝搬し、帰還ライン３７には、ＬＥＤモジュール１９（ＬＥＤ光源８）に向かってコモンモードノイズ４４ｂが伝搬する。このコモンモードノイズ４４ａとコモンモードノイズ４４ｂとは、ヒートシンク２０のアースを通じて点灯装置１００のアースに帰還する。
このコモンモードノイズは、ＬＥＤ電流のリップルとして現れ、ＬＥＤ光源８の点灯のちらつきなどの原因となる。
その為、コモンモードノイズを除去もしくは減衰（低減）させる必要がある。
【００２３】
（ラインフィルタ１５の動作）
ラインフィルタ１５（図１）は、第１の巻き線３８と第２の巻き線３９とが対となって信号ライン３６と帰還ライン３７とを伝搬するコモンモードノイズを減衰させる。
具体的には、ラインフィルタ１５は、第１の巻き線３８と第２の巻き線３９とがコアに同じ向きに巻かれている。そして、第１の巻き線３８と第２の巻き線３９とに同じ方向の信号、すなわちコモンモードノイズが伝搬すると、コアに発生する磁束が強まり、第１の巻き線３８と第２の巻き線３９に流れる信号を阻止する作用（ブレーキ作用）が強まる。その結果、ラインフィルタ１５を通過するコモンモードノイズは減衰される。
すなわち、ラインフィルタ１５は、コモンモードノイズを減衰させることで、ＬＥＤ電流のリップルを低減する。
なお、ラインフィルタ１５は、平滑コンデンサ１６とＬＥＤ光源８との間に接続されている。換言すると、ラインフィルタ１５は、ＬＥＤ光源８の直前に接続されている。このようにすることで、ラインフィルタ１５によりコモンモードノイズが減衰された直後の直流電流がＬＥＤ光源８に供給される。すなわち、ラインフィルタ１５によりコモンモードノイズが減衰された後の直流電流に対し、新たなコモンモードノイズが加わる前にＬＥＤ光源８に直流電流を供給することが出来る。
【００２４】
（平滑コンデンサ１６の前にラインフィルタ１５が配置された点灯装置の構成）
ここで、比較の為に、負荷整流回路６と平滑コンデンサ１６との間（平滑コンデンサ１６の前）にラインフィルタ１５が配置された点灯装置１００の構成を説明する。
図３は、平滑コンデンサ１６の前にラインフィルタ１５が配置された点灯装置１００の構成を示す図である。
ＬＥＤ光源８を点灯する点灯装置１００の回路には、コモンモードノイズが多く含まれる。コモンモードノイズを減衰させＬＥＤ光源８に流す電流を安定させるにはラインフィルタ１５のインダクタンスを大きくしなければならない。その為、ラインフィルタ１５の巻き数増加によりラインフィルタ１５がコストアップし、更に、ラインフィルタ１５が大型化する。
【００２５】
図３の構成においては、ラインフィルタ１５が負荷整流回路６と平滑コンデンサ１６との間に設置された構成になっている。そして、ＬＥＤ電流に含まれるコモンモードノイズを減衰させ、ＬＥＤ電流のリップルを低減する為には、ラインフィルタ１５のインダクタンスを非常に大きくする必要がある。
更に、ラインフィルタ１５とＬＥＤ光源８との位置が離れている為、ラインフィルタ１５でコモンモードノイズがＬＥＤ光源８に到達するまでに新たなコモンモードノイズが加わる可能性がある。
また、ラインフィルタ１５のインダクタンスと平滑コンデンサ１６の容量とによりＬＣ回路が構成されてローパスフィルタ回路となり、ＬＥＤ光源８に流れる電流値が所望の電流値に対して変化する（ＬＥＤ光源８に流れる電流が大幅に変わる）ため、設計が困難になる。
【００２６】
（実施の形態１の効果）
前述の図３の構成を踏まえた上で、実施の形態１（図１）の効果を説明する。
【００２７】
図４は、ＬＥＤ電流を示す図である。
ＬＥＤ電流２１は、図１の構成（実施の形態１）において、ＬＥＤ光源８に流れる電流を示し、ＬＥＤ電流２２は、図３の構成において、ＬＥＤ光源８に流れる電流を示す。
ＬＥＤ電流２１は、所望の電流値２５と同等であり、ＬＥＤ電流２２よりもリップルが少なく安定した電流となる。
一方、ＬＥＤ電流２２は、所望の電流値２５に対して高い電流値となっている。これは、図３の構成において、ラインフィルタ１５のインダクタンスと平滑コンデンサ１６の容量によりＬＣ回路が構成されてローパスフィルタ回路となり、負荷（ＬＥＤ光源８）に流れる電流が大幅に変わってしまったためである。
【００２８】
図５は、インバータ回路４のスイッチング周波数とＬＥＤ電流との関係を示す図である。
点灯装置１００は、ＬＥＤ電流を所望の電流値にするために定電流制御を行う。具体的には、点灯装置１００は、インバータ回路４のスイッチング周波数を変化させて定電流制御を行う。
ＬＥＤ電流周波数特性２３は、図１の構成（実施の形態１）におけるインバータ回路４のスイッチング周波数に対するＬＥＤ電流を示す。ＬＥＤ電流周波数特性２３は共振回路５の共振特性に基づく特性であり、インバータ回路４がスイッチング周波数４１で動作することにより、所望の電流値２５が得られるように共振回路５の共振特性が予め設計されている。そして、図１の構成におけるＬＥＤ電流周波数特性２３は、共振回路５の共振特性と同一となるため、設計が容易になる。
一方、ＬＥＤ電流周波数特性２４は、図３の構成におけるインバータ回路４のスイッチング周波数に対するＬＥＤ電流を示し、ＬＥＤ電流周波数特性２３とは異なる特性となる。
定電流制御を行わず、所望の電流値２５を得ようとして、共振回路５の共振特性の設計に基づき、インバータ回路４がスイッチング周波数４１で動作すると、ＬＥＤ電流は、ＬＥＤ電流値２６へと変化してしまう。そして、定電流制御を行う場合には、所望の電流値２５を得る為に、インバータ回路４は、スイッチング周波数をスイッチング周波数４１からスイッチング周波数４２へと変更する必要が有る。図３の構成では、定電流制御を行うことで、所望の電流値２５を得ることが可能であるが、共振回路５に加え、ラインフィルタ１５と平滑コンデンサ１６との影響を考慮したＬＥＤ電流周波数特性２４を設計する必要が有り、設計が困難となる。
【００２９】
図６は、ＬＥＤ電流及びＬＥＤ電流に含まれるコモンモードノイズを示す図である。
図７は、ＬＥＤ電流及びＬＥＤ電流に含まれるコモンモードノイズを示す図である。
図６は、図３の構成におけるＬＥＤ電流２８及びＬＥＤ電流に含まれるコモンモードノイズ２９を示し、図７は、図１の構成（実施の形態１）におけるＬＥＤ電流３０及びＬＥＤ電流に含まれるコモンモードノイズ３１を示す。なお、コモンモードノイズの電流値は、ＬＥＤ電流の電流値に比べ小さい為、コモンモードノイズの縦軸をＬＥＤ電流の縦軸よりも拡大して図示している。そして、図６、図７、図９（後述）におけるＬＥＤ電流の縦軸は同一であり、図６、図７、図９におけるコモンモードノイズの縦軸は同一である。すなわち、図６、図７、図９を相互に比較することが可能である。
図６と図７とを比べると、図７（実施の形態１）の方が、ＬＥＤ電流のリップルが小さく、かつコモンモードノイズが少ないことがわかる。これは、実施の形態１のラインフィルタ１５が図３の構成よりもコモンモードノイズを多く減衰させることを示している。これは、実施の形態１のラインフィルタ１５の接続場所が図３の構成よりもＬＥＤ光源８に近い為、ラインフィルタ１５からＬＥＤ光源８に電流が到達するまでに新たなコモンモードノイズが加わりにくいことを示している。また、ラインフィルタ１５の設置場所がノイズ源から近い場合も、ノイズがより多く減衰される。
【００３０】
実施の形態１の点灯装置１００は、負荷整流回路６によって得られた脈流電流を平滑コンデンサ１６で平滑した後にラインフィルタ１５によってコモンモードノイズが減衰されるため、リップルの少ない安定した直流電流をＬＥＤ光源８に供給できる。
また、実施の形態１の点灯装置１００は、図３の構成よりもリップル及びコモンモードノイズの低減効果が大きく、ラインフィルタ１５の小型化も可能である。
また、逆にラインフィルタ１５のインダクタンスを大きくすることで、平滑コンデンサ１６の容量も小さくすることが可能になるため、設計の自由度も得られる。
【００３１】
更に、実施の形態１の点灯装置１００は、ラインフィルタ１５のインダクタンスと平滑コンデンサ１６の容量が、ＬＥＤ光源８に供給する電流に影響を及ぼさないため、設計が容易となる。
すなわち、実施の形態１の点灯装置１００は、リップルを抑制してＬＥＤ光源８に安定した直流電流を供給することができる。
【００３２】
実施の形態２．
本実施の形態２について、主に実施の形態１との差異を説明する。
【００３３】
図８は、点灯装置の構成を示す図である。
実施の形態２の点灯装置１００は、実施の形態１と同様に、平滑コンデンサ１６とＬＥＤ光源８との間にラインフィルタ１５が設置された回路である。
そして、実施の形態２の照明器具２００は、複数の点灯装置１００を備える。すなわち、実施の形態２の照明器具２００は、複数のインバータ回路４及び複数の共振回路５でＬＥＤ光源８を点灯させる。
なお、図８において、実施の形態２の照明器具２００に備えられる点灯装置１００は２つであるが、実施の形態２の照明器具２００に備えられる点灯装置１００の数は限定されるものではない。
【００３４】
複数の点灯装置１００は、商用電源１、電源整流回路２、アクティブフィルタ回路３を共通としており、インバータ回路４から先の回路を点灯装置１００ごとにアクティブフィルタ回路３に接続している。
なお、電源整流回路２及びアクティブフィルタ回路３も点灯装置１００ごとに備えられていてもよい。
【００３５】
実施の形態２の照明器具２００は、ＬＥＤ光源８が複数であり、ＬＥＤ電流を周波数によって制御するインバータ回路４も複数となる。そして、インバータ回路４の発振周波数を制御するインバータ制御回路１０（ＩＣ）も複数である。その為、部品の製造バラツキなどにより各々のインバータ回路４の発振周波数が異なる。あるいは、インバータ制御回路１０の制御により、各々のインバータ回路４の発振周波数を意図的に異ならせる場合もある。
すなわち、複数の点灯装置１００のうち、少なくとも２つの点灯装置１００のそれぞれのインバータ回路４は、周波数が互いに異なる高周波の交流電流を出力する。
そして、照明器具２００の複数のインバータ回路４が複数の発振周波数で発振すると互いに影響を与え、ＬＥＤ光源８に流れるコモンモードノイズが増える。
具体的には、複数のインバータ回路４が複数の発振周波数で発振すると、その複数の発振周波数と同じ周波数のコモンモードノイズ、もしくは複数の発振周波数それぞれの整数倍の周波数のコモンモードノイズが増える。更には、複数の発振周波数の信号が互いに干渉することで、例えば２つの発振周波数の差分と同じ周波数、もしくは２つの発振周波数の差分の整数倍の周波数のコモンモードノイズが増える。
【００３６】
（実施の形態２の効果）
図９は、ＬＥＤ電流及びＬＥＤ電流に含まれるコモンモードノイズを示す図である。
図９は、図８の構成（実施の形態２）におけるＬＥＤ電流３２及びＬＥＤ電流に含まれるコモンモードノイズ３３を示す。
図７（実施の形態１）と図９（実施の形態２）とのＬＥＤ電流及びコモンモードノイズを比較すると、図９のほうがＬＥＤ電流のリップルが大きく、かつコモンモードノイズが多いことがわかる。ここで、図７と図９とは、両者ともラインフィルタ１５が平滑コンデンサ１６とＬＥＤ光源８との間に接続される構成であり、照明器具２００が一つの点灯装置１００から成るか（図７）、照明器具２００が複数の点灯装置１００から成るか（図９）が異なる。すなわち、図７と図９とは、複数のインバータ回路４及び共振回路５で複数のＬＥＤ光源８を点灯させた場合、ＬＥＤ電流に含まれるコモンモードノイズが大きくなることを示している。
一方、図６（点灯装置１００が一つで、ラインフィルタ１５が平滑コンデンサ１６の前に接続）と図９（実施の形態２）とのＬＥＤ電流及びコモンモードノイズを比較すると、図６のほうがＬＥＤ電流のリップルが大きく、かつコモンモードノイズが多いことがわかる。図示は省略するが、ラインフィルタ１５が平滑コンデンサ１６の前に接続され、点灯装置１００が複数になると、図６よりもＬＥＤ電流のリップルが大きくなり、コモンモードノイズが多くなることは明らかである。
すなわち、複数の点灯装置１００を備えた照明器具２００において、実施の形態２のようにラインフィルタ１５を平滑コンデンサ１６とＬＥＤ光源８との間に接続することにより安定した電流をＬＥＤ光源８に供給できる。
【００３７】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００３８】
１  商用電源、２  電源整流回路、３  アクティブフィルタ回路、４  インバータ回路、５  共振回路、６  負荷整流回路、７  直流出力部、８  ＬＥＤ光源、９  電流検出抵抗、１０  インバータ制御回路、１１  第一のスイッチング素子、１２  第二のスイッチング素子、１３  共振用コンデンサ、１４  共振用インダクタ、１５  ラインフィルタ、１６  平滑コンデンサ、１７  電線、１９  ＬＥＤモジュール、２０  ヒートシンク、２１，２２，２８，３０，３２  ＬＥＤ電流、２３〜２４  ＬＥＤ電流周波数特性、２５  所望の電流値、２６  ＬＥＤ電流値、２９，３１，３３，４４ａ，４４ｂ  コモンモードノイズ、３５  直流電源、３６  信号ライン、３７  帰還ライン、３８  第１の巻き線、３９  第２の巻き線、４１〜４２  スイッチング周波数、４３  直流電流、４５  通過電流、５１ａ〜５１ｉ  接続点、１００  点灯装置、２００  照明器具。
【図１】
2014110197.tif 000003
【図２】
2014110197.tif 000004
【図３】
2014110197.tif 000005
【図４】
2014110197.tif 000006
【図５】
2014110197.tif 000007
【図６】
2014110197.tif 000008
【図７】
2014110197.tif 000009
【図８】
2014110197.tif 000010
【図９】
2014110197.tif 000011